(57)【要約】【課題】印刷物を持ち去った可能性のある人物を漏れなく列挙するための技術を提供する。【解決手段】画像形成装置の周辺の領域を含むシーンを撮影する撮影手段と、前記撮影手段で撮影された映像のうち、ネットワークを介した印刷命令に応じて前記画像形成装置で印刷が実行された日時以降の映像から、前記領域内に写る人物情報を抽出する抽出手段と、前記抽出手段で抽出された人物情報に基づく一覧情報を生成する生成手段と、を有することによって課題を解決する。【選択図】図６
2015121849.tif 000002
【特許請求の範囲】
【請求項１】
画像形成装置の周辺の領域を含むシーンを撮影する撮影手段と、
前記撮影手段で撮影された映像のうち、ネットワークを介した印刷命令に応じて前記画像形成装置で印刷が実行された日時以降の映像から、前記領域内に写る人物情報を抽出する抽出手段と、
前記抽出手段で抽出された人物情報に基づく一覧情報を生成する生成手段と、
を有する撮影装置。
【請求項２】
前記撮影手段は、前記画像形成装置から予め定められた範囲の領域である前記周辺の領域を含むシーンを撮影する請求項１記載の撮影装置。
【請求項３】
前記生成手段は、前記人物情報に基づいて、前記人物の画像を含む前記一覧情報を生成する請求項１又は２記載の撮影装置。
【請求項４】
ネットワークを介した印刷命令に応じて印刷を実行した前記画像形成装置から印刷日時情報を受信する第１の受信手段と、
前記第１の受信手段で受信された前記印刷日時情報が示す前記日時以降に前記領域に進入した人物に係る前記一覧情報の取得要求を受信する第２の受信手段と、
を更に有し、
前記抽出手段は、前記日時以降から前記第２の受信手段で前記取得要求が受信されるまでの期間における映像から、前記領域内に写る人物情報を抽出する請求項１乃至３何れか１項記載の撮影装置。
【請求項５】
前記第１の受信手段で受信された印刷日時情報を含む印刷記録情報を記憶領域に記憶する記憶手段と、
前記記憶手段で前記記憶領域に記憶された印刷記録情報から、前記取得要求をしたユーザの印刷命令により実行された印刷に係る印刷記録情報を検索する検索手段と、
を更に有し、
前記抽出手段は、前記検索手段で検索された印刷記録情報に含まれる印刷日時情報が示す日時から前記取得要求が受信されるまでの期間における映像から前記人物情報を抽出する請求項４記載の撮影装置。
【請求項６】
前記検索手段は、前記記憶領域に記憶されている予め定められた期間内の印刷記録情報のうち、前記取得要求をしたユーザの印刷命令により実行された印刷に係る最も新しい印刷記録情報を検索する請求項５記載の撮影装置。
【請求項７】
前記検索手段は、前記記憶領域に記憶されている予め定められた期間内の印刷記録情報のうち、前記取得要求をしたユーザの印刷命令により実行された印刷に係る最も古い印刷記録情報を検索する請求項５記載の撮影装置。
【請求項８】
前記検索手段は、前記記憶領域に記憶されている予め定められた期間内の印刷記録情報のうち、前記画像形成装置で選択されて要求された印刷記録情報を検索する請求項５記載の撮影装置。
【請求項９】
前記第１の受信手段は、前記印刷日時情報と共に前記印刷命令をしたユーザのユーザ情報を受信し、
前記第２の受信手段は、前記取得要求と共に認証装置を介して取得された前記取得要求をしたユーザのユーザ情報を受信し、
前記記憶手段は、前記第１の受信手段で受信された前記印刷日時情報と、前記印刷命令をしたユーザのユーザ情報とを関連付けた前記印刷記録情報を前記記憶領域に記憶し、
前記検索手段は、前記認証装置を介して取得されたユーザ情報に基づいて、前記記憶領域に記憶されている印刷記録情報から、前記取得要求をしたユーザの印刷命令により実行された印刷に係る印刷記録情報を検索する請求項５記載の撮影装置。
【請求項１０】
前記抽出手段は、前記領域内に進入した人物のうち、排紙トレイに手をかけている人物の人物情報を抽出する請求項１乃至９何れか１項記載の撮影装置。
【請求項１１】
前記抽出手段は、前記領域内に進入した人物のうち、予め定められた時間以上滞在している人物の人物情報を抽出する請求項１乃至９何れか１項記載の撮影装置。
【請求項１２】
画像形成装置の周辺の領域を含むシーンを撮影する撮影手段と、
前記撮影手段で撮影された映像のうち、ネットワークを介した印刷命令に応じて前記画像形成装置で印刷が実行された日時以降の映像から、前記領域内に写る人物情報を抽出する抽出手段と、
前記抽出手段で抽出された人物情報に基づく一覧情報を生成する生成手段と、
前記生成手段で生成された前記一覧情報を表示する表示手段と、
を有するシステム。
【請求項１３】
撮影装置が実行する情報処理方法であって、
画像形成装置の周辺の領域を含むシーンを撮影する撮影ステップと、
前記撮影ステップで撮影された映像のうち、ネットワークを介した印刷命令に応じて前記画像形成装置で印刷が実行された日時以降の映像から、前記領域内に写る人物情報を抽出する抽出ステップと、
前記抽出ステップで抽出された人物情報に基づく一覧情報を生成する生成ステップと、
を含む情報処理方法。
【請求項１４】
システムが実行する情報処理方法であって、
画像形成装置の周辺の領域を含むシーンを撮影する撮影ステップと、
前記撮影ステップで撮影された映像のうち、ネットワークを介した印刷命令に応じて前記画像形成装置で印刷が実行された日時以降の映像から、前記領域内に写る人物情報を抽出する抽出ステップと、
前記抽出ステップで抽出された人物情報に基づく一覧情報を生成する生成ステップと、
前記生成ステップで生成された前記一覧情報を表示する表示ステップと、
を含む情報処理方法。
【請求項１５】
コンピュータに、
画像形成装置の周辺の領域を含むシーンを撮影する撮影ステップと、
前記撮影ステップで撮影された映像のうち、ネットワークを介した印刷命令に応じて前記画像形成装置で印刷が実行された日時以降の映像から、前記領域内に写る人物情報を抽出する抽出ステップと、
前記抽出ステップで抽出された人物情報に基づく一覧情報を生成する生成ステップと、
を実行させるためのプログラム。
【発明の詳細な説明】
【技術分野】
【０００１】
本発明は、撮影装置、システム、情報処理方法及びプログラムに関する。
【背景技術】
【０００２】
印刷、コピー、ＦＡＸ等の機能を有する画像形成装置は、一般的にオフィスの一画に配置され、ネットワークに接続されて複数のユーザに使用される。ユーザは、画像形成装置の印刷機能を利用する場合、ＰＣ等のクライアント端末から印刷を命令し、画像形成装置に印刷を実行させる。通常の印刷方式の場合、画像形成装置は、印刷命令を受信するとすぐに印刷を開始する。そのため、ユーザが自席のＰＣ等から印刷を命令し、画像形成装置へ印刷物を取得しに行く間、印刷物が画像形成装置の排紙トレイに放置されることになる。それゆえ、第三者によって印刷物が持ち去られてしまうという課題がある。
この課題を解決するために、画像形成装置を監視カメラで監視し、不正を防ぐ方法が提案されている。特に印刷物の持ち去りに関しては、画像形成装置が印刷命令を受信してから最初に紙を取りに来た人物をカメラで撮影し、お互いを関連付けて保存するシステムが提案されている（特許文献１）。
【先行技術文献】
【特許文献】
【０００３】
【特許文献１】特開２００８−１９７１５２号公報
【発明の概要】
【発明が解決しようとする課題】
【０００４】
特許文献１に記載の技術は、印刷ジョブと、印刷物を取りにいた人物とを関連付けて保存する技術であるため、印刷物を持ち去った人物を探し出すことはできない等といった問題もある。
本発明は、印刷物を持ち去った可能性のある人物を漏れなく列挙するための技術を提供することを目的とする。
【課題を解決するための手段】
【０００５】
そこで、本発明の撮影装置は、画像形成装置の周辺の領域を含むシーンを撮影する撮影手段と、前記撮影手段で撮影された映像のうち、ネットワークを介した印刷命令に応じて前記画像形成装置で印刷が実行された日時以降の映像から、前記領域内に写る人物情報を抽出する抽出手段と、前記抽出手段で抽出された人物情報に基づく一覧情報を生成する生成手段と、を有する。
【発明の効果】
【０００６】
本発明によれば、印刷物を持ち去った可能性のある人物を漏れなく列挙するための技術を提供することができる。
【図面の簡単な説明】
【０００７】
【図１】システム構成の一例を示す図である。
【図２】ハードウェア構成の一例を示す図である。
【図３】ソフトウェア構成の一例を示す図である。
【図４】印刷記録の一例を示す図である。
【図５】印刷処理の一例を示すフローチャート（その１）である。
【図６】リスト表示処理の一例を示すフローチャート（その１）である。
【図７】人物抽出処理の一例を示すフローチャートである。
【図８】リストの表示画面の一例を示す図である。
【図９】印刷処理の一例を示すフローチャート（その２）である。
【図１０】リスト表示処理の一例を示すフローチャート（その２）である。
【発明を実施するための形態】
【０００８】
以下、本発明を実施するための最良の形態について図面を用いて説明する。
＜実施形態１＞
図１は、システム構成の一例を示す図である。
画像形成装置１０１は、印刷、コピー、ＦＡＸ等の複数の機能を有している。画像形成装置１０１は、クライアントＰＣ１０２から印刷命令を受け付けると、カメラ１０３（撮影装置）へ印刷することを通知する。ここでは、画像形成装置１０１がクライアントＰＣ１０２からファイルの印刷命令を受け付けたものとして説明する。また、画像形成装置１０１は、カメラ１０３から送られてきた画像等の情報をＵＩ上に表示する。
クライアントＰＣ１０２は、ユーザの指示により、画像形成装置１０１にファイルを投入して印刷を命令する。クライアントＰＣ１０２は、画像形成装置１０１に印刷を命令することができる機器であれば、タブレット端末やスマートフォン等、何れの機器であってよい。
【０００９】
カメラ１０３は、監視カメラであり、画像形成装置１０１の周辺の領域を含むシーンを撮影し、撮影した映像を記録する。ここでいう周辺とは、ユーザにより予め定められた範囲のことをいう。以降の説明においても同様とする。また、カメラ１０３は、画像形成装置１０１を撮影することができるのであればどこに設置されていてもよい。なお、図１のシステムには、カメラ１０３が撮影した映像を保存するための録画サーバ装置等の記憶領域や、カメラ１０３を制御するための管理サーバ装置等が含まれていてもよい。以降の説明では、カメラ１０３は、管理サーバ装置の制御によらずに各種の処理を実行するものとし、また、撮影したデータ等を自装置の記憶領域に記憶するものとする。更に、カメラ１０３は、画像形成装置１０１からの要求を受けて、画像形成装置１０１の周辺まで物理的に近づいた人物、即ち、所定の領域内に進入した人物の画像を画像形成装置１０１へ送信する。
ネットワーク１０４は、イーサネット（登録商標）等のネットワークである。上述の各装置は全てネットワーク１０４に接続されている。
【００１０】
図２の（ａ）は、画像形成装置１０１のハードウェア構成の一例を示す図である。
ＣＰＵ１１は、画像形成装置１０１全体を制御する。ＣＰＵ１１がＲＯＭ１３やＨＤＤ１４等の記憶領域に記憶されているプログラムを実行することにより、後述する画像形成装置１０１のソフトウェア構成、画像形成装置１０１に係るフローチャートの処理（情報処理）が実現される。
ＲＡＭ１２は、ＣＰＵ１１の主記憶メモリ及びワークエリア等として機能する。
ＲＯＭ１３は、ＣＰＵ１１が実行するプログラム等を記憶する。
ＨＤＤ１４は、各種のプログラムや画像形成装置１０１が実行する処理に要する各種のデータ（閾値等を含む）を記憶する。
ＮｅｔｗｏｒｋＩ／Ｆ１５は、外部の機器と通信するためのインターフェースである。
【００１１】
入力装置１６は、画像形成装置１０１に対するユーザの入力操作を受け付けるキーボードやキー等である。
表示装置１７は、画像形成装置１０１の情報を表示するディスプレイ等である。表示装置１７は、入力機能を備えたタッチパネル等であってもよい。
認証装置１８は、ＩＤカード等からユーザ情報等を含む認証情報を取得する。
スキャナ装置１９は、印刷対象の原稿等を読み込む。
プリンタ装置２０は、印刷データを紙等に印刷して出力する。
【００１２】
図２の（ｂ）は、クライアントＰＣ１０２のハードウェア構成の一例を示す図である。
ＣＰＵ３１は、クライアントＰＣ１０２全体を制御する。ＣＰＵ３１がＲＯＭ３３やＨＤＤ３４等の記憶領域に記憶されているプログラムを実行することにより、クライアントＰＣ１０２の機能が実現される。
ＲＡＭ３２は、ＣＰＵ３１の主記憶メモリ及びワークエリア等として機能する。
ＲＯＭ３３は、ＣＰＵ３１が実行するプログラム等を記憶する。
ＨＤＤ３４は、各種のプログラムやクライアントＰＣ１０２が実行する処理に要する各種のデータ（閾値等を含む）を記憶する。
ＮｅｔｗｏｒｋＩ／Ｆ３５は、外部の機器と通信するためのインターフェースである。
入力装置３６は、クライアントＰＣ１０２に対するユーザの入力操作を受け付けるキーボードやマウス等である。
表示装置３７は、クライアントＰＣ１０２の情報を表示するディスプレイ等である。
【００１３】
図２の（ｃ）は、カメラ１０３のハードウェア構成の一例を示す図である。
ＣＰＵ５１は、カメラ１０３全体を制御する。ＣＰＵ５１がＲＯＭ５３やＨＤＤ５４等の記憶領域に記憶されているプログラムを実行することにより、後述するカメラ１０３のソフトウェア構成、カメラ１０３に係るフローチャートの処理が実現される。
ＲＡＭ５２は、ＣＰＵ５１の主記憶メモリ及びワークエリア等として機能する。
ＲＯＭ５３は、ＣＰＵ５１が実行するプログラム等を記憶する。
ＨＤＤ５４は、各種のプログラムやカメラ１０３が実行する処理に要する各種のデータ（閾値等を含む）を記憶する。
ＮｅｔｗｏｒｋＩ／Ｆ５５は、外部の機器と通信するためのインターフェースである。
入力装置５６は、カメラ１０３に対するユーザの入力操作を受け付けるキー等である。
表示装置５７は、カメラ１０３の情報を表示するディスプレイ等である。表示装置５７は、入力機能を備えたタッチパネル等であってもよい。
撮影装置５８は、撮影対象のシーンを撮影する。
【００１４】
図３の（ａ）は、画像形成装置１０１のソフトウェア構成の一例を示す図である。
印刷受信部２０１は、クライアントＰＣ１０２からファイルの印刷命令を受信する。この際、印刷受信部２０１は、印刷を実行したユーザのユーザ情報（ここでは、ユーザ名とする）も受信する。
画像処理部２０２は、印刷受信部２０１が受信したデータに対してレンダリング処理やリッピング処理等を実行し、印刷可能な形式に変換する。
印刷部２０３は、画像処理部２０２が変換したデータをプリンタ装置２０で印刷、排紙する。
印刷情報送信部２０４は、印刷受信部２０１が印刷命令を受信してから印刷部２０３が印刷を実行するまでの間に、印刷命令を受信して印刷しようとしていることを、カメラ１０３へ通知する。この際、印刷情報送信部２０４は、例えば現在時刻等を示す日時情報を送信して印刷しようとしていることを通知してもよいし、単に印刷があることを通知してもよい。また、印刷情報送信部２０４は、印刷受信部２０１が受信した印刷を実行したユーザのユーザ名もカメラ１０３へ送信する。
【００１５】
通信部２０５は、カメラ１０３とのやり取りを始め、他の機器との通信を制御する。
表示部２０６は、カメラ１０３から受信した情報を表示装置１７に表示する。
操作部２０７は、入力装置１６やタッチパネル等を介した入力を制御する。即ち、画像形成装置１０１は、入力装置１６を介して操作部２０７が受け付けたユーザの指示に基づいて、カメラ１０３に要求を送信する。
【００１６】
認証部２０８は、画像形成装置１０１の使用可否を検証するために、画像形成装置１０１を使用しようとしているユーザを特定して権限を調べる。より具体的に説明すると、認証部２０８は、入力装置１６を介して入力されたユーザ名と、パスワードとに基づいてユーザを特定して前記権限を調べてもよい。また、認証部２０８は、認証装置１８を介して取得したＩＤカード等の情報に基づいてユーザを特定して前記権限を調べてもよい。クライアントＰＣ１０２で印刷を実行したユーザと、画像形成装置１０１を使用するユーザとが同一人物であれば、認証部２０８で認証されたユーザ名と、印刷受信部２０１で受信されたユーザ名とは一致するものとする。
リスト要求部２０９は、入力装置１６を介して操作部２０７が受け付けたユーザの要求に基づいて、画像形成装置１０１で印刷が実行された日時以降に画像形成装置１０１の周辺まで近づいた人物の画像のリストをカメラ１０３に要求する。また、リスト要求部２０９は、認証装置１８を介して認証部２０８が取得したユーザ名もカメラ１０３へ送信する。
【００１７】
図３の（ｂ）は、カメラ１０３のソフトウェア構成等の一例を示す図である。
通信部２１１は、画像形成装置１０１とのやり取りを始め、他の機器との通信を制御する。
印刷情報記録部２１２は、通信部２１１が受信した画像形成装置１０１が送信した情報をデータ保存部２１７に保存する。印刷情報記録部２１２は、例えば通信部２１１が画像形成装置１０１から印刷時刻情報（以下、単に印刷時刻という）を受信した場合はそのままデータ保存部２１７に保存し、そうでない場合は、カメラ１０３内の現在時刻をデータ保存部２１７に保存する。また、印刷情報記録部２１２は、通信部２１１が印刷実行ユーザ名も併せて受信した場合、印刷実行ユーザ名と、印刷時刻とを関連付けてデータ保存部２１７に保存する。このように、印刷情報記録部２１２は、通信部２１１が画像形成装置１０１の印刷情報送信部２０４から受信した印刷に関する情報を印刷記録情報（以下、単に印刷記録という）としてデータ保存部２１７に保存する。なお、ここでは通信部２１１が画像形成装置１０１から印刷時刻を受信するものとしたが、日時も含めた印刷日時情報（以下、単に印刷日時という）を受信するものとしてもよい。
撮影部２１３は、撮影装置５８を介してシーンを撮影し、撮影した映像をデータ保存部２１７に保存する。本実施形態において、カメラ１０３は、画像形成装置１０１の周辺の領域を２４時間撮影し続けているものとする。
【００１８】
図４は、カメラ１０３の印刷情報記録部２１２がデータ保存部２１７に保存する印刷記録の一例を示した図である。図４の例では、印刷情報記録部２１２がデータベースのテーブルに印刷記録を格納するものとして図示している。なお、ここでは、複数のデータを記憶するＨＤＤ等の記憶装置のことを含めてデータベースという。
列６０１は、印刷記録を識別するＩＤを示す。印刷情報記録部２１２は、実行された印刷毎に一意の値をＩＤとして格納する。
列６０２は、印刷時刻を示す。印刷情報記録部２１２は、印刷情報送信部２０４から送信された時刻を格納する。
列６０３は、ユーザ名を示す。印刷情報記録部２１２は、印刷情報送信部２０４から送信されたユーザ名を格納する。
列６０４は、印刷対象のファイルの名前を示す。印刷情報記録部２１２は、印刷情報送信部２０４からファイル名の情報が送信された場合は印刷時刻等と併せて格納する。
【００１９】
図３の（ｂ）の説明に戻る
映像処理部２１４は、データ保存部２１７に保存されている映像に対し、映像の切り出し、対象物の検索、静止画への変換等を行う。本実施形態において、映像処理部２１４は、データ保存部２１７に保存されている映像の中から指定された期間の映像を切り出す。そして、映像処理部２１４は、切り出した映像から画像形成装置１０１の周辺の領域内にいた人物を探し出し、発見した各々の人物に対して抽出した画像をデータ保存部２１７に保存する。
ここで、映像処理部２１４は、抽出した画像をトリミングして人物を拡大してもよい。また、映像処理部２１４は、前記人物の検索において、画像形成装置１０１の横を瞬間的に通り過ぎた人物については検索しないようにしてもよい。即ち、映像処理部２１４は、画像形成装置１０１の横を予め定められた時間以内に通り過ぎた人物については検索しないようにしてもよい。逆に、映像処理部２１４は、画像形成装置１０１を覗きこんだり、排紙トレイに手を入れたりする人物については検索するようにしてもよい。
【００２０】
リスト生成部２１５は、画像形成装置１０１のリスト要求部２０９から要求を受けると、画像形成装置１０１の周辺まで近づいた人物の画像をデータ保存部２１７の映像から抽出するように映像処理部２１４へ指示する。ここで、映像処理部２１４が画像を抽出する際の対象となる映像の期間は、入力装置１６を介してリストを要求したユーザがクライアントＰＣ１０２を介して印刷を指示した印刷時刻から、前記リストを要求した時刻（現在）までの期間である。
リスト生成部２１５は、前記印刷時刻として、認証部２０８から受信したユーザ名に関連付けられている印刷時刻をデータ保存部２１７から検索する。リスト生成部２１５は、前記検索の結果、複数の印刷記録、即ち、複数の印刷時刻が存在した場合、最も新しい印刷時刻を映像処理部２１４に通知する。また、リスト生成部２１５は、予め定められた期間内において印刷記録を検索することができなかった場合、印刷は実行されていないと判定するようにしてもよい。例えば、予め定められた期間が１日である場合、リスト生成部２１５は、検索の結果として３日前の印刷記録を検索することができたとしても、印刷は実行されていないと判定することになる。
【００２１】
また、リスト生成部２１５は、映像処理部２１４が抽出した画像に時刻等の付随する情報（以下、付随情報という）を付加し、画像形成装置１０１が表示装置１７で一覧表示することができるような形式のデータであるリスト（一覧情報）を生成する。例えば、表示部２０６がＨＴＭＬを解釈することができるブラウザと同等の機能を有している場合、リスト生成部２１５は、画像を含むＨＴＭＬのページを生成する。この際、各画像に時刻等の付随情報がある場合、リスト生成部２１５は、その付随情報も含めたページを生成する。
なお、本実施形態では、カメラ１０３のリスト生成部２１５が上述のリストを生成するものとして説明するが、画像形成装置１０１がリスト生成するような構成としてもよい。その場合、リスト生成部２１５は、映像処理部２１４が抽出した画像そのものを画像形成装置１０１へ送信することになる。
リスト送信部２１６は、リスト生成部２１５が生成したリストを、通信部２１１を介して画像形成装置１０１へ送信する。
データ保存部２１７は、データの記憶領域であり、撮影部２１３や印刷情報記録部２１２から受信したデータを保存する。ここで、データ保存部２１７は、撮影部２１３から受信した映像と、印刷情報記録部２１２から受信した印刷に関するデータとを異なる領域に異なる手法で保存するようにしてもよい。
【００２２】
図５は、クライアントＰＣ１０２から画像形成装置１０１へ印刷の実行が指示された際の画像形成装置１０１と、カメラ１０３との本実施形態における処理の一例を示すフローチャートである。
Ｓ３０１で、印刷受信部２０１は、クライアントＰＣ１０２から印刷命令と、印刷を命令したユーザ名とを受信する。
Ｓ３０２で、印刷情報送信部２０４は、Ｓ３０１で受信されたユーザ名と、時刻とを通信部２０５を介してカメラ１０３へ送信する。ここでいう時刻は、Ｓ３０１で印刷受信部２０１がクライアントＰＣ１０２から印刷命令等を受信した時刻である。
Ｓ３０３で、通信部２１１は、ユーザ名と、時刻とを受信する。
Ｓ３０４で、印刷情報記録部２１２は、Ｓ３０３で受信されたユーザ名と、時刻とをデータ保存部２１７に保存する。即ち、印刷情報記録部２１２は、ユーザ名と、時刻とを関連付けた印刷記録をデータ保存部２１７に保存する。
Ｓ３０５で、画像処理部２０２は、印刷データに対し画像処理を実行する。
Ｓ３０６で、印刷部２０３は、プリンタ装置２０で印刷を実行して排紙する。
なお、画像処理部２０２は、カメラ１０３の処理と並行して処理を実行してもよい。また、印刷部２０３は、カメラ１０３の処理が正常に終了しなかった場合、印刷を実行しないようにしてもよい。
【００２３】
図６は、画像形成装置１０１がカメラ１０３へリストを要求し、返信されたリストを表示する際の本実施形態における処理の一例を示すフローチャートである。
Ｓ４０１で、認証部２０８は、認証装置１８を介してユーザの認証を行う。認証処理については上述したため、説明を省略する。
Ｓ４０２で、認証部２０８は、Ｓ４０１での認証結果に基づいて、画像形成装置１０１の使用に関する認証が成功したか否かを判定し、成功したと判定した場合、処理をＳ４０４に進め、失敗したと判定した場合、処理をＳ４０３に進める。
Ｓ４０３で、表示部２０６は、表示装置１７に認証が失敗した旨のメッセージ等を表示し、図６の処理を終了する。
Ｓ４０４で、リスト要求部２０９は、入力装置１６を介して受け付けたユーザのリストの要求に応じて、通信部２０５を介してカメラ１０３へリストの取得要求を送信する。また、リスト要求部２０９は、認証装置１８を介して認証部２０８が取得した前記ユーザのユーザ名も送信する。
【００２４】
Ｓ４０５で、通信部２１１は、リスト要求と、ユーザ名とを受信する。
Ｓ４０６で、リスト生成部２１５は、Ｓ４０５で受信されたユーザ名に基づいて、印刷情報記録部２１２がＳ３０４でデータ保存部２１７に保存した印刷記録に関する印刷履歴を検索する。
Ｓ４０７で、リスト生成部２１５は、Ｓ４０６での検索の結果、予め定められた期間内において印刷記録が存在するか否かを判定し、存在すると判定した場合、処理をＳ４０８に進め、存在しないと判定した場合、処理をＳ４０９に進める。
Ｓ４０８で、リスト生成部２１５は、ユーザ名に関連付けられた印刷時刻を取得する。ここで、リスト生成部２１５は、Ｓ４０７で複数の印刷記録が存在すると判定した場合、最も新しい印刷記録の印刷時刻を取得するようにしてもよいし、逆に、予め定められた期間内で最も古い印刷記録の印刷時刻を取得するようにしてもよい。これにより、画像形成装置１０１が複数回印刷を実行してからユーザが印刷物を取りに行く場合等において、リスト生成部２１５は、映像処理部２１４が人物の画像を抽出する際に対象とする映像の期間を柔軟に変更することができる。
【００２５】
Ｓ４０９で、リスト生成部２１５は、画像形成装置１０１へ印刷されていない旨を通知する。上述したように、予め定められた期間が１日である場合、リスト生成部２１５は、３日前の印刷記録を検索することができたとしても、印刷が行われていない旨を画像形成装置１０１の映像処理部２１４に通知することになる。
Ｓ４１０で、リスト生成部２１５は、Ｓ４０８で取得した時刻から現在の時刻までに、画像形成装置１０１の周辺まで近づいた人物の画像等の人物情報を映像から抽出するように映像処理部２１４に指示する。Ｓ４１０の処理の詳細については、図７を用いて後述する。なお、ここいう現在の時刻とは、Ｓ４０５でリスト要求等が受信された時刻である。即ち、映像処理部２１４が人物情報を抽出する際に対象とする映像の期間は、Ｓ４０８で取得された印刷時刻から、Ｓ４０５でリスト要求等が受信された時刻までの期間ということになる。
【００２６】
図７は、映像処理部２１４による人物抽出処理の一例を示すフローチャートである。
Ｓ４１１で、映像処理部２１４は、データ保存部２１７に保存されている映像から、画像形成装置１０１の周辺の領域内に存在する人物を検索する。より具体的に説明すると、映像処理部２１４は、対象の期間の映像を時系列に読み込み、前記領域内の人物を検索する。そして、映像処理部２１４は、前記領域内の人物を検索することができた場合、処理をＳ４１２に進め、検索することができなかった場合、処理をＳ４１７に進める。
Ｓ４１２で、映像処理部２１４は、Ｓ４１１で検索した人物が画像形成装置１０１の排紙トレイに手をかけているか否かを判定し、手をかけていると判定した場合、処理をＳ４１５に進める。一方、映像処理部２１４は、前記人物が排紙トレイに手をかけていないと判定した場合、処理をＳ４１３に進める。
Ｓ４１５で、映像処理部２１４は、Ｓ４１２で排紙トレイに手をかけていると判定された前記人物の画像を抽出する。
【００２７】
Ｓ４１３で、映像処理部２１４は、予め定められた範囲内に前記人物が存在するか否かを判定し、存在すると判定した場合、処理をＳ４１４に進め、存在しないと判定した場合、処理をＳ４１７に進める。
Ｓ４１４で、映像処理部２１４は、前記人物がその位置に予め定められた時間以上滞在しているか否かを判定し、滞在していると判定した場合、処理をＳ４１５に進め、滞在していないと判定した場合、処理をＳ４１７に進める。
Ｓ４１５で、映像処理部２１４は、Ｓ４１４で予め定められた時間以上滞在していると判定された前記人物の画像を抽出する。
以上のＳ４１２からＳ４１４までの処理により、映像処理部２１４は、印刷物を持ち去った可能性がある人物の画像をより正確に抽出することができる。ただし、映像処理部２１４は、Ｓ４１２からＳ４１４までの処理を必ずしも全て実行する必要はない。例えば、映像処理部２１４は、Ｓ４１２からＳ４１４までの処理のうち、１つ又は任意の複数の組合せの処理を実行するようにしてもよい。
【００２８】
Ｓ４１６で、映像処理部２１４は、抽出した画像を一時的に保存する。
Ｓ４１７で、映像処理部２１４は、Ｓ４１０でリスト生成部２１５から指示された期間において全て検索し終えたか否か判定し、検索し終えたと判定した場合、図７の処理を終了し、図６のＳ４１８に処理を進める。一方、映像処理部２１４は、検索し終えていないと判定した場合、処理をＳ４１１に戻す。
Ｓ４１８で、リスト生成部２１５は、映像処理部２１４から受信したＳ４１０での処理結果から、画像形成装置１０１の周辺まで近づいた人物が１人でも存在したか否かを判定し、存在したと判定した場合、処理をＳ４１９に進める。一方、リスト生成部２１５は、存在しなかったと判定した場合、処理をＳ４２０に進める。
Ｓ４１９で、リスト生成部２１５は、映像処理部２１４から１つ以上の画像を受信し、その画像を画像形成装置１０１の表示装置１７で一覧表示することができるような形式でリストを生成する。なお、リスト生成部２１５は、前記領域まで近づいた人物が複数人存在した場合、その人数分の画像を映像処理部２１４から受信し、受信した複数の画像を画像形成装置１０１の表示装置１７で一覧表示することができるような形式でリストを生成する。
【００２９】
Ｓ４２０で、リスト生成部２１５は、人物が存在しなかった旨を画像形成装置１０１へ通知する。
Ｓ４２１で、リスト送信部２１６は、Ｓ４１９で生成されたリストを、通信部２１１を介して画像形成装置１０１へ送信する。
Ｓ４２２で、通信部２０５は、リストを受信する。
Ｓ４２３で、表示部２０６は、表示装置１７にリストを表示し、図６の処理を終了する。
【００３０】
図８は、表示部２０６が表示装置１７に表示するリストの表示画面の一例を示す図である。
図８の例では、画像形成装置１０１の周辺まで近づいた人物が複数検索されたものとして、検索された人物の画像５０２が表示画面５０１に横並びに表示されている。また、表示画面５０１には、付随情報５０３、スクロールバー５０４が表示されている。
更に、表示画面５０１には、画像５０２に付随する時刻等の付随情報５０３、スクロールバー５０４が表示されている。カメラ１０３が画像を解析して人物を特定する機能を有している場合、又は予め人物に関する人物情報がデータ保存部２１７等に保存されている場合、リスト生成部２１５は、付随情報５０３に人物の名前や連絡先等が表示されるようなリストを生成してもよい。画像の数が多い場合、ユーザは、入力装置１６を介してスクロールバーをスクロールして他の画像を表示することができる。
このように、画像形成装置１０１は、印刷物を持ち去った可能性がある人物全てを漏れなく列挙して表示することができる。このため、ユーザは、印刷物を持ち去った可能性がある人物を容易に認識することができる。
【００３１】
以上、本実施形態によれば、カメラ１０３は、画像形成装置１０１で印刷が実行されてから前記印刷を指示したユーザが印刷物を取りに行くまでの間に、前記印刷物を持ち去った可能性がある人物のリストを生成して画像形成装置１０１に提供することができる。そして、画像形成装置１０１は、カメラ１０３で生成されたリストに基づいて、印刷物を持ち去った可能性がある人物を漏れなく列挙して表示することができるようになる。
【００３２】
＜実施形態２＞
本実施形態は、以下の３つのパターンを想定した実施形態である。
１つ目のパターンは、画像形成装置１０１が認証装置１８を有していない場合である。
２つ目のパターンは、印刷受信部２０１がクライアントＰＣ１０２からユーザ名を受信することができない場合である。
３つ目のパターンは、認証部２０８、印刷受信部２０１共にユーザ名を取得することができるが、同一人物であっても両者が一致しない運用の場合である。
上記の３つパターンでは何れの場合であっても、入力装置１６を介してカメラ１０３にリストを要求するユーザが、カメラ１０３が画像を抽出する際の映像の検索範囲の起点となる印刷記録を指定する。ここでは、画像形成装置１０１が認証装置１８を有しておらず、かつ、印刷受信部２０１がクライアントＰＣ１０２からユーザ名を受信することができない場合の実施形態について説明する。
【００３３】
図９は、クライアントＰＣ１０２から画像形成装置１０１へ印刷の実行が指示された際の画像形成装置１０１と、カメラ１０３との本実施形態における処理の一例を示すフローチャートである。
Ｓ６０１で、印刷受信部２０１は、クライアントＰＣ１０２から印刷命令を受信するが、実施形態１と異なりユーザ名を受信しない。
Ｓ６０２で、印刷情報送信部２０４は、時刻のみをカメラ１０３へ送信する。ここでいう時刻の詳細については、Ｓ３０２と同様であるため説明を省略する。
Ｓ６０３で、通信部２１１は、時刻を受信する。
Ｓ６０４で、印刷情報記録部２１２は、Ｓ６０３で受信された時刻をデータ保存部２１７に保存する。
Ｓ６０５及びＳ６０６の処理は、Ｓ３０５及びＳ３０６の処理と同様であるため、説明を省略する。
【００３４】
図１０は、画像形成装置１０１がカメラ１０３へリストを要求し、返信されたリストを表示する際の本実施形態における処理の一例を示すフローチャートである。
Ｓ８０１で、リスト要求部２０９は、入力装置１６を介してユーザからリストの要求を受け付ける。
Ｓ８０２で、表示部２０６は、画像形成装置１０１の印刷履歴を表示装置１７に表示する。ここで表示部２０６が表示装置１７に表示する印刷履歴には、クライアントＰＣ１０２を介して画像形成装置１０１へ印刷の実行を指示した全ユーザにおける印刷記録が含まれる。また、印刷記録には、例えば印刷時刻、文書名、印刷の可否に関する情報が含まれるが、ユーザ名は含まれない。
Ｓ８０３で、操作部２０７は、ユーザによる入力装置１６の操作を介して、印刷履歴からユーザ自身の印刷記録を選択する指示を受け付ける。これにより、画像形成装置１０１は、認証装置１８を有していなかったり、印刷受信部２０１がユーザ名を受信することができなかったりする場合であっても、映像の検索期間の起点となる印刷記録を決定することができる。
Ｓ８０４で、リスト要求部２０９は、Ｓ８０３で選択された印刷記録の印刷時刻をカメラ１０３へ送信すると共に、リストを要求する。
【００３５】
Ｓ８０５で、通信部２１１は、リスト要求と、時刻とを受信する。
Ｓ８０６で、リスト生成部２１５は、Ｓ８０５で取得した時刻から現在の時刻までに、画像形成装置１０１の周辺まで近づいた人物の画像等の人物情報を映像から抽出するように映像処理部２１４に指示する。
Ｓ８０７からＳ８１２までの処理は、Ｓ４１８からＳ４２３までの処理と同様であるため、説明を省略する。
上述したように、本実施形態における画像形成装置１０１は、印刷履歴を表示し、ユーザに映像の検索期間の起点となる印刷記録を選択させる。これにより、画像形成装置１０１は、認証装置１８を有していなかったり、印刷受信部２０１がユーザ名を受信することができなかったりする場合でも印刷時刻と、リスト要求とをカメラ１０３に送信することができる。即ち、画像形成装置１０１は、カメラ１０３からリストを取得することができる。
【００３６】
また、ユーザがクライアントＰＣ１０２を介して画像形成装置１０１に複数回印刷を実行させてから印刷物を取りに行く場合においても、ユーザが入力装置１６を介して印刷履歴から対象の印刷記録を選択することで、適切な検索範囲を指定することができる。この場合、画像形成装置１０１が認証装置１８を有しており、かつ、印刷履歴にユーザ名が含まれていれば、画像形成装置１０１は、認証部２０８が取得したユーザ名と一致する印刷履歴のみを表示することで、ユーザに自身の印刷を選択させやすくなる。
なお、ユーザに印刷履歴を選択させず、予め定められた時間内の映像を検索対象とする手法も考えられる。この時間を短く設定すればするほど印刷物を持ち去った可能性のある人物の漏れが発生する可能性は高くなるが、リストに表示される画像も減るためユーザが人物を絞りやすくなるという利点もある。逆に、この時間を長く設定すればするほどリストに表示される画像が増えてしまい人物を絞り込むことが困難になる可能性はあるが、印刷物を持ち去った可能性のある人物の漏れをなくすることができるという利点もある。このように、ユーザは、状況に応じて柔軟に検索対象とする映像の期間を設定することができるため、印刷物を持ち去った可能性のある人物を効率よく特定することができる。
【００３７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００３８】
以上、上述した各実施形態によれば、ユーザが印刷を命令してから画像形成装置１０１に印刷物を取りに行くまでの間に、画像形成装置１０１の周辺まで近づいた人物を漏れなく列挙することができる。これにより、印刷物の持ち去りを防止することができる。
【００３９】
以上、本発明の好ましい形態について詳述したが、本実施形態は係る特定の実施形態に限定されるものではなく、特許請求の範囲に記載された本発明の要旨の範囲内において、種々の変形・変更が可能である。
【図１】
2015121849.tif 000003
【図２】
2015121849.tif 000004
【図３】
2015121849.tif 000005
【図４】
2015121849.tif 000006
【図５】
2015121849.tif 000007
【図６】
2015121849.tif 000008
【図７】
2015121849.tif 000009
【図８】
2015121849.tif 000010
【図９】
2015121849.tif 000011
【図１０】
2015121849.tif 000012